(57)【要約】【課題】ヒンジピンの脱落防止構造を備えた遊技機を提供する。【解決手段】ヒンジピン４０を介して遊技機本体枠の一側に着脱可能かつ開閉可能に取り付けられるガラス扉３と、ガラス扉と遊技機本体枠のいずれか一方に設けられ、ヒンジピンを移動可能に軸支する軸支孔を備えた支持鍔部３３と、ガラス扉と遊技機本体枠のいずれか他方に設けられ、ヒンジピンの先端を支持する軸受け部４７とを備え、ヒンジピンが、軸受け部に支持されることによりガラス扉を遊技機本体枠に対して開閉可能な軸支位置Ｓ１と、軸受け部から離脱することにより、ガラス扉を遊技機本体枠に対して離脱可能な離脱位置Ｓ２に移動可能に構成されている遊技機において、ヒンジピンの移動範囲Ｒ１を規制する移動規制手段４５を備え、移動規制手段は、ヒンジピンの移動可能範囲を、軸受け部に軸支されている状態のヒンジピン先端から支持鍔部までの長さＲ２と比して短く規制する。【選択図】    図５
2006263243.tif 000002
【特許請求の範囲】
【請求項１】
ヒンジピンを介して遊技機本体枠の一側に着脱可能かつ開閉可能に取り付けられるガラス扉と、
該ガラス扉と前記遊技機本体枠のいずれか一方に設けられ、前記ヒンジピンを移動可能に軸支する軸支孔を備えた支持鍔部と、
前記ガラス扉と前記遊技機本体枠のいずれか他方に設けられ、前記ヒンジピンの先端を支持する軸受け部とを備え、
前記ヒンジピンが、前記軸受け部に支持されることにより前記ガラス扉を前記遊技機本体枠に対して開閉可能な軸支位置と、前記軸受け部から離脱することにより、前記ガラス扉を前記遊技機本体枠に対して離脱可能な離脱位置に移動可能に構成されている遊技機において、
前記ヒンジピンの移動範囲を規制する移動規制手段を備え、
該移動規制手段は、前記ヒンジピンの移動可能範囲を、前記軸受け部に軸支されている状態の前記ヒンジピン先端から前記支持鍔部までの長さと比して短く規制することを特徴とする遊技機。
【請求項２】
ガラス扉は、ベース板と、該ベース板の前面に取り付けられる装飾部材とで構成され、
移動規制手段は、前記ベース板と一体に設けられていることを特徴とする請求項１に記載の遊技機。
【請求項３】
ベース板と装飾部材との間に取付部材を備え、
該取付部材に、支持鍔部と移動規制手段が備えられていることを特徴とする請求項２に記載の遊技機。
【請求項４】
ガラス扉を補強するための金属製の補強板がベース板の表面に備えられ、
支持鍔部は、前記補強板と一体に設けられていることを特徴とする請求項２又は３に記載の遊技機。
【請求項５】
ヒンジピンを操作して離脱位置へと移動させたのち、操作を解除すると、付勢によりヒンジピンを軸支位置へと移動させる弾性部材を備えたことを特徴とする請求項１乃至４のいずれかに記載の遊技機。
【請求項６】
移動規制手段は、ヒンジピンを当接させることによりヒンジピンの移動を規制するものであって、
弾性部材は、一端をガラス扉若しくは遊技機本体枠に取り付けるとともに、他端を前記ヒンジピンに取り付け、
前記ヒンジピンに取り付けられる弾性部材の取付位置を、前記ヒンジピンが前記移動規制手段に当接する位置としたことを特徴とする請求項５に記載の遊技機。
【発明の詳細な説明】
【技術分野】
【０００１】
本発明は、遊技機、詳しくは、ガラス扉が遊技機本体枠に対して閉扉可能な遊技機に関する。なお、本発明の遊技機は、いわゆるパチンコ機と称される弾球遊技機、いわゆるパチスロ機と称される回胴式遊技機の双方を対象としている。
【背景技術】
【０００２】
例えば弾球遊技機（いわゆるパチンコ機）には、多数の遊技釘や各種入賞口（例えば、始動入賞口や大入賞口等）などの各種遊技部材を設けて遊技球の転動する遊技領域を構成している遊技盤が遊技機本体枠に取り付けられており、前記遊技盤は、遊技機本体枠の一側にヒンジピン（回動軸）などを介して開閉可能に取り付けられたガラス扉のガラス板を介して視認可能に構成されている。
【０００３】
従来、上述したようにガラス扉がヒンジピンを介して遊技機本体枠に開閉可能に取り付けられた遊技機の一例として、ガラス扉に備えた取付板に、ヒンジピンを遊技機の高さ方向にスライド可能に装着したものが知られている（例えば特許文献１を参照）。
【０００４】
具体的に説明すると、前記ヒンジピンは、棒状の垂直部分（軸支部分）と該垂直部分の末端から水平方向に延設した棒状の水平部分（操作部分）とからなる側面視略Ｌ字形状に形成されている。
一方、該ヒンジピンが配設される前記取付板は、ガラス扉の一側上方に固着される平板状の取付板本体と、該本体の上端位置に水平方向に延設するとともに前記ヒンジピンの垂直部分の上端がスライド可能に突出する軸支孔を穿設した支持鍔部が一体に備えられ、前面部には、前記ヒンジピンの水平部分が挿通されるとともに、遊技機の高さ方向に該水平部分が移動可能な空間をもって穿設された挿入配置孔が備えられて構成されている。また、ヒンジピンは、バネ部材などの弾性部材によって、遊技機の高さ方向に付勢され、支持鍔部の軸支孔から上方に突出する垂直部分が、前記弾性部材によって遊技機本体枠側に備えた軸受け部に回動可能に係合されている。
【０００５】
従って、ヒンジピンは、上述の通り、弾性部材の弾性力によって垂直部分が遊技機本体枠側に備えた軸受け部に挿入係合されてガラス扉を回動可能に軸支し、一方、前記ヒンジピンの水平部分を前記弾性部材の弾性に抗して下方に押し下げることで、ヒンジピンの垂直部分を前記支持鍔部から離脱させてヒンジピンの係合状態が解除できるため、ガラス扉を遊技機本体枠から取り外すことができる。
このようにガラス扉はそのヒンジピンの係合状態の解除により遊技機本体枠から取り外すことが可能で、ガラス扉の補修・交換時に便利である。
【特許文献１】特開２００４−３０５５８４号公報
【発明の開示】
【発明が解決しようとする課題】
【０００６】
しかし、前記特許文献１に開示の先行技術では、取付板の前面に穿設したヒンジピンの挿入配置孔が、その孔長さに制限を付加することなく遊技機の高さ方向（ヒンジピンの水平部分の移動方向）に長く開口されているため、ヒンジピンの移動可能範囲が大きく、ヒンジピンの垂直部分が軸支孔から離脱してしまう虞があった。このようにヒンジピンが軸支孔から離脱してしまうと、再度ヒンジピンを取付板にセットしなければならない。
このような作業は大変面倒かつ煩わしいものであったため、遊技機補修作業等の作業コストが掛かる虞があり、この点を十分に解消し得た遊技機の提供が切望されている。
本発明は、このような問題を解決するためになされており、その目的とするところは、ヒンジピンの脱落防止構造を備えた遊技機を提供することである。
【課題を解決するための手段】
【０００７】
このような目的を達成するために、第１の発明は、ヒンジピン４０を介して遊技機本体枠Ａ（２）の一側に着脱可能かつ開閉可能に取り付けられるガラス扉３と、該ガラス扉３と前記遊技機本体枠Ａのいずれか一方に設けられ、前記ヒンジピン４０を移動可能に軸支する軸支孔３３ａ，３４ａを備えた支持鍔部３２（３３，３４）と、前記ガラス扉３と前記遊技機本体枠Ａ（２）のいずれか他方に設けられ、前記ヒンジピン４０の先端を支持する軸受け部４７とを備え、前記ヒンジピン４０が、前記軸受け部４７に支持されることにより前記ガラス扉３を前記遊技機本体枠Ａ（２）に対して開閉可能な軸支位置Ｓ１と、前記軸受け部４７から離脱することにより、前記ガラス扉３を前記遊技機本体枠Ａに対して離脱可能な離脱位置Ｓ２とに移動可能に構成されている遊技機において、前記ヒンジピン４０の移動範囲を規制する移動規制手段４５を備え、該移動規制手段４５は、前記ヒンジピン４０の移動可能範囲Ｒ１を、前記軸受け部４７に軸支されている状態の前記ヒンジピン４０先端から前記支持鍔部３２（３３）までの長さＲ２と比して短く規制することを特徴とする遊技機としたことである。
【０００８】
本発明によれば、上述のような構成を採用したことで、ヒンジピン４０が支持鍔部３２から離脱することがないので、ヒンジピン４０が脱落することがなく、ヒンジピン４０の操作性が向上するため、遊技機補修作業等の作業コストが低減できる。
【０００９】
第２の発明は、第１の発明において、ガラス扉３は、ベース板２６と、該ベース板２６の前面に取り付けられる装飾部材２７とで構成され、移動規制手段４５は、前記ベース板２６と一体に設けられていることを特徴とする遊技機としたことである。
【００１０】
本発明によれば、第１の発明の効果とともに、ガラス扉３の湾曲が防止できるとともに、部品点数が減少でき、製品コストに優れる。
【００１１】
第３の発明は、ベース板２６と装飾部材２７との間に取付部材を備え、該取付部材に、支持鍔部と移動規制手段が備えられていることを特徴とする遊技機としたことである。
【００１２】
本発明によれば、第２の発明の効果とともに、遊技機の装飾部材交換等において、取付部材構成を残したまま成し得るため、装飾効果の向上が図れるとともに、装飾部材の交換等のコストが低減できる。
【００１３】
第４の発明は、第２又は第３の発明において、ガラス扉３を補強するための金属製の補強板２８がベース板２６の表面に備えられ、支持鍔部３１は、前記補強板２８と一体に設けられていることを特徴とする遊技機としたことである。
【００１４】
本発明によれば、第２又は第３の発明の効果とともに、ガラス扉３の湾曲が防止できるとともに、部品点数が減少でき、製品コストに優れる。
【００１５】
第５の発明は、第１乃至第４のいずれかの発明において、ヒンジピン４０を操作して離脱位置Ｓ２へと移動させたのち、操作を解除すると、付勢によりヒンジピン４０を軸支位置Ｓ１へと移動させる弾性部材４４を備えたことを特徴とする遊技機としたことである。
【００１６】
本発明によれば、第１乃至第４のいずれかの発明の効果とともに、ヒンジピン４０を離脱位置Ｓ２へと移動させた後は、弾性部材４４の付勢により、ヒンジピン４０を軸支位置Ｓ１へと戻すため、ヒンジピン４０の操作性が向上するとともに、ヒンジピン４０の離脱防止が図れる。
【００１７】
第６の発明は、移動規制手段４５は、ヒンジピン４０を当接させることによりヒンジピン４０の移動を規制するものであって、弾性部材４４は、一端４４ａをガラス扉３若しくは遊技機本体枠Ａに取り付けるとともに、他端４４ｂを前記ヒンジピン４０に取り付け、前記ヒンジピン４０に取り付けられる弾性部材４４の取付位置を、前記ヒンジピン４０が前記移動規制手段４５に当接する位置としたことを特徴とする遊技機としたことである。
【００１８】
本発明によれば、第５の発明の効果とともに、弾性部材４４が移動規制手段４５によって、弾性部材４４の付勢力によるヒンジピン４０からの離脱が抑制されるので、遊技機補修作業等の作業コストを低減することができる。
【発明の効果】
【００１９】
本発明によれば、ヒンジピンの脱落防止構造を備えた遊技機が提供できる。
【発明を実施するための最良の形態】
【００２０】
以下、本発明の一実施形態について説明する。なお、本実施形態は本発明の一例にすぎずなんらこれに限定解釈されるものではなく、本発明の範囲内で設計変更可能である。
【実施例１】
【００２１】
本実施例では、本発明を適用する遊技機の一例として図に示す形態の弾球遊技機（パチンコ機ともいう）をもって説明する。
図１は、本発明を適用した弾球遊技機の一例を示す概略斜視図で、図２乃至図４は、ガラス扉３の概略図、図５乃至図７は本発明の要部（扉軸支部分）を拡大して示す図である。
【００２２】
弾球遊技機は、外枠１と内枠２にて構成された遊技機本体枠Ａを備え、図１に示すように、外枠１の前面に内枠（ベースドア）２が回動自在に軸支され、該内枠２の前面には、遊技盤ベースに始動入賞口や遊技釘などの種々の遊技部材を備えて構成した図示しない遊技盤が着脱自在に装着され、該遊技盤の背面には図示しない表示装置が着脱自在に装着されている。なお、表示装置は特に限定されず本発明の範囲内で設計変更可能である。また、表示装置を備えない遊技機であっても本発明の範囲内である。
【００２３】
そして、前記内枠２の前面側の一側上下位置には、夫々後述するヒンジピンを回動可能に挿入する軸孔を備えた軸受け部４７が突設され、図１に示すように、ガラス板４を嵌めたガラス扉（フロント扉）３が、前記内枠２の上下の軸受け部４７に着脱可能かつ開閉可能に軸支され、該ガラス扉３の閉鎖時には、該ガラス扉３の前側からガラス板４を介して前記遊技盤が視認される。
また、本実施例では、図１に示すように、前記ガラス扉３の配設位置よりも上方の内枠２の前面には、音による演出装置としてのスピーカ２３が備えられている。
【００２４】
そして、前記ガラス扉３を軸支した内枠２の前面下部には、後述する遊技球供給皿５満杯時に遊技球受入口５ａの内方で溢れ出た球を排出する下皿排出口６ａを有する下皿６を備えた取付ベース７が回動自在に軸支されている。
また、図１で示す符号８は、遊技球を遊技領域へ向けて発射する発射装置のハンドルで、該ハンドル８のレバー８ａを時計回り方向に回転させることにより発射停止スイッチがONとなり、駆動する図示しない発射ソレノイド駆動により槌先が作動して、遊技球供給皿５から供給された遊技球を叩打して遊技球を遊技盤に備えられた遊技領域に打ち出す。
【００２５】
ガラス扉３は、例えば図２乃至図１０に示すように、ベース板２６と、遊技球供給皿（上皿）５と、装飾部材２７と、補強板２８と、ガラス板取付枠１１と、回動軸１０の複数の構成要素からなっている。
【００２６】
ベース板２６は、表面（以下、前面ともいう）の下方領域に遊技球供給皿（上皿）５を配設する配設スペース２６ｂが備えられるともに、その配設スペース２６ｂの上方には遊技盤の遊技領域が臨む開口２６ａが備えられた正面視矩形状に形成されている。前記配設スペース２６ｂの領域幅や開口２６ａ形状は特に限定されず本発明の範囲内で設計変更可能である。
そして、本実施例のベース板２６は、後述する回動軸側の補強板２９を取り付ける一側辺２６ｄと、開放側の補強板３０を取り付ける他側辺２６ｅを夫々備えている。
また、本実施例では、前記一側辺２６ｄの上端を所定領域にわたって切欠くことで、上側横枠２６ｃから一段下がった水平端面４６が形成され、該水平端面４６が、後述する移動規制手段４５の一構成として作用する。移動規制手段４５については後述する。
【００２７】
装飾部材２７は、前記ベース板２６の開口２６ａの前面外周縁を覆う第一装飾部２７ａと、該第一装飾部２７ａの下端両側から一体に延設され、配設スペース２６ｂに取り付けられる遊技球供給皿５の側方を装飾する第二装飾部２７ｂとで構成され、ベース板２６の前面に取り付けられ、光による演出装置としてのランプ飾り２４が備えられている。装飾部材２７の形状は特に限定されず本発明の範囲内で設計変更可能である。
【００２８】
遊技球供給皿（上皿）５は、前記ベース板２６の前面下部に取り付けられ、図示しない払出装置から払い出された遊技球が遊技球受入口５ａから供給されるとともに、発射装置へと遊技球を供給する。遊技球供給皿５の構成も特に限定されない。
【００２９】
補強板２８は、前記ベース板２６の前面両側辺に取り付けられ、回動軸１０側の一側辺２６ｄ（図８にて向かって左側）に取り付けられる回動軸側の補強板２９と、開放側１６の他側辺２６ｅ（図８にて向かって右側）に取り付けられる開放側の補強板３０とで構成されている。
【００３０】
回動軸側の補強板２９は、ベース板２６の高さ方向長さと略同一長さを有する金属材料をもって長尺細板に形成され、その前面上端に回動軸１０となる後述するヒンジピン３３の摺動部を上下方向に移動可能に支持する支持鍔部３１が一体に備えられるとともに、該支持鍔部３１配設位置の前面下方に、所定領域にわたって穿設された前記ヒンジピン４０の操作部４２が挿通されて上下方向に移動可能な切欠き孔３９が備えられている。
そして、該支持鍔部３１を装飾部材２７側に向けて補強板２９がベース板２６の前面の一側辺２６ｄに取り付けられる（図８参照）。
【００３１】
開放側の補強板３０は、同軸上に配した長尺細板部３０ａと短尺細板部３０ｂと、該長尺細板部３０ａと短尺細板部３０ｂとの間に一体に備えられ、図示しない施錠操作部を回避する湾曲板部３０ｃで長尺に形成されている。
本実施例では、ベース板２６の高さ方向長さと略同一長さに全体金属材料をもって形成されて、前記ベース板２６の前面の他側辺２６ｅに取り付けられている（図８参照）。
【００３２】
前記各補強板２８（２９，３０）は、ガラス扉３を補強可能な程度に強度を有するものであればその材質に特に限定されるものではなく、また横方向の幅もベース板２６の側辺２６ｄ，２６ｅ構成に応じて大小設計変更可能である。
そして、本実施例では回動軸側の補強板２９に、回動軸１０を構成する上側の支持鍔部３２と下側の支持鍔部３５を夫々一体に備えている。
なお、上側の支持鍔部３２と下側の支持鍔部３５を夫々別個の形で備える形態を採用すれば、補強板２８（２９，３０）をベース板２６の背面（裏面）側に備えるものとしてもよく、また補強板２８（２９，３０）を全く備えないことも本発明の範囲内で可能である。
【００３３】
ガラス板取付枠１１は、前記ベース板２６の裏面に一体に突設し、ガラス板４を着脱可能に嵌装する構成を有している。例えば、その一実施形態を説明すると、端部を開放した二本の平行なレール部１２ａ・１２ａ，１３ａ・１３ａ，１４ａ・１４ａ（スライド溝部）を、枠内面側にてベース板２６の高さ方向にわたる連続した溝形状に構成されている。
【００３４】
例えば本実施例においては、ベース板２６裏面の回動軸１０側に突出して遊技機の高さ方向にわたって備えた樹脂製の回動軸側取付枠１２と、ベース板２６裏面の開放側１６に
突出して遊技機の高さ方向にわたって備えた樹脂製の開放側取付枠１３と、ベース板２６裏面の下部分側に突出して備えた金属製の下部分側取付枠１４とで構成されているとともに、ガラス扉３の上部分（図３及び図４にて、ガラス扉３の裏側から見て正面視上側）を開放することによりガラス板嵌装可能部１５を構成している。
なお、本実施例では、回動軸１０側と開放側１６の取付枠１２，１３を樹脂材で、下部分の取付枠１４を金属材で形成するものとしているが特に限定されず、開放側の取付枠１３を金属製としてもよい。
【００３５】
そして、本実施例では、図３及び図４と図８及び図９に示すように、前記開放側取付枠１３の背面１３ｂ（レール部１３ａの背面）長さ方向の略中心位置に、移動補助部材２５が横方向（水平方向）に摺動可能に挿入配設する移動補助部材用貫通孔１７が外面側から内面側に貫通して設けられている。
前記移動補助部材２５は、図３及び図４に示すように、開放側取付枠１３に設けられた移動補助部材用貫通孔１７に、横方向にスライド可能（開放側１６から回動軸１０側に向けてスライド可能）に備えられており、ガラス板嵌装可能部１５から嵌装したガラス板４を、回動軸１０側のガラス板取付位置２０へと押圧して摺動移動させる。
また、本実施例では、二枚のガラス板４，４が前後に所定の間隔をあけて夫々着脱可能にガラス板取付枠１１に保持されている。なお、ガラス板４の配設枚数は本実施例になんら限定解釈されるものではなく、単数枚若しくは二枚以上であってもよい。
さらに、ガラス板取付枠は、本実施例の形態に限定されるものではなく任意の形態が採用可能である。
【００３６】
そして、本実施例では、上述した通り、前記回動軸側の補強板２９に、上側の支持鍔部３２と下側の支持鍔部３５を一体に備えている。
【００３７】
上側の支持鍔部３２は、回動軸１０側の補強板２９の前面上端に、該前面と直交する方向に平板状に延設された第一支持鍔部３３と、該第一支持鍔部３３と同一形状の第二支持鍔部３４が突設されている。
そして、該第一支持鍔部３３と第二支持鍔部３４は、上下方向に所定間隔をあけて平行に備えられるとともに、夫々の略中央位置に同軸上に軸支孔３３ａ，３４ａが備えられ、前記第一支持鍔部３３と第二支持鍔部３４の夫々の軸支孔３３ａ，３４ａには、後述するヒンジピン４０の摺動部４１が上下移動可能に挿通されている。
なお、本実施例では、ヒンジピン摺動部４１の上下移動を支持するために上下に第一支持鍔部３３と第二支持鍔部３４を備えたが、ヒンジピン４０の摺動部４１の上下移動を支持することが可能であれば単一の支持鍔部を採用することも可能で本発明の範囲内である。
【００３８】
下側の支持鍔部３５は、回動軸側の補強部材２９の前面下端位置に、該前面と直交する方向に平板状に延設された第三支持鍔部３６と、該第三支持鍔部３６と同一形状の第四支持鍔部３７が突設されている。そして、該第三支持鍔部３６と第四支持鍔部３７は、上下方向に所定間隔をあけて平行に備えられるとともに、夫々の略中央位置に同軸上に軸支孔３６ａ，３７ａが備えられ、前記第一支持鍔部３６と第二支持鍔部３７の夫々の軸支孔３６ａ，３７ａには、少なくとも一端を第四支持鍔部３７の下端から所定長さ突出させて固定した円柱状のヒンジピン（上下移動しない）３８が嵌挿されている。
なお、下側の支持鍔部３５は、特に本実施例の形態に限定解釈されず本発明の範囲内で設計変更可能である。
【００３９】
ヒンジピン４０は、例えば所定長さの円柱状に形成された摺動部４１と、該摺動部４１の下端から水平方向に所定長さ延設した操作部４２で、全体が側面視Ｌ字形状に形成されており、前記内枠２に突設した軸受け部４７に支持されることにより、前記ガラス扉３を前記内枠２に対して開閉可能な軸支位置（図５及び図７にてヒンジピン４０を実線で示す位置）Ｓ１と、前記軸受け部４７から離脱することにより、前記ガラス扉３を前記遊技機本体枠Ａに対して離脱可能な離脱位置（図５及び図７にてヒンジピン４０を仮想線で示す位置）Ｓ２に移動可能に構成されている。
【００４０】
ヒンジピン４０を構成する摺動部４１の長さは、第一支持鍔部３３の軸支孔３３ａを通過して上方に突出する先端が、軸受け部４７内に軸支された状態で、第二支持鍔部３４の軸支孔３４ａを通過して下方に所定長さ突出し、その下方に突出した部分から延設される操作部４２が、補強板２９の切欠き孔３９に挿通可能な位置に配置可能な長さで、下方に押下げた際に、先端が軸受け部４７から離脱し、前記操作部４２が前記ベース板２６の水平端面４６に当接可能な長さとする。
また、操作部４２の長さは、摺動部４１の下端から切欠き孔３９内を通過して補強板２９の裏面方向に所定長さ突出可能な長さとする。
なお、ヒンジピン４０の構成は特に本実施例構成に限定されるものではなく本発明の範囲内で設計変更可能である。
【００４１】
また、本実施例では、前記操作部４２の所定箇所（本実施例では先端付近）に、周方向に連続した係止溝４３を設け、該係止溝４３に一端４４ａが係止されるとともに、他端４４ｂが補強板２９裏面の係止片２９ａに係止された後述する弾性部材４４を備えることで、常時ヒンジピン４０は軸支位置Ｓ１方向へと付勢されているものとしている。なお、本実施例では、係止溝４３が操作部４２の先端付近にて周方向に連続した溝形状をもって説明するが、弾性部材４４の一端４４ａを係止することが可能であれば連続して設けられていなくても良く、また、弾性部材４４の一端４４ａを係止可能な構成であれば溝形状以外の構成、例えば前記一端４４ａを挿入して係止可能な孔形状なども採用可能である。
【００４２】
弾性部材４４は、例えば本実施例では図５乃至図７に示すようにコイルバネが用いられ、前記切欠き孔３９からベース板２６の裏面側に突出するヒンジピン４０の操作部４２先端の係止溝４３に一端４４ａを係止するとともに、補強板２９の裏面で前記切欠き孔３９よりも上方の所定位置に突設した（切起した）係止片２９ａに他端４４ｂを係止して、ベース板２６の裏面側に配設し、該コイルバネ４４の弾性によって常時ヒンジピン４０が軸受け部４７方向（軸支位置Ｓ１方向）に付勢されているものとしている（図５及び図７にてヒンジピン４０を実線で示す方向）。
すなわち、弾性部材４４の弾性に抗してヒンジピン４０を押下げ操作して離脱位置（図５及び図７にてヒンジピン４０を仮想線で示す位置）Ｓ２へと移動させたのち、当該ヒンジピン４０の押下げ操作を解除すると、弾性部材４４の付勢によりヒンジピン４０は軸支位置（図５及び図７にてヒンジピン４０を実線で示す位置）Ｓ１へと移動（復帰）する。
なお、本実施例では、弾性部材４４の一例としてコイルバネを採用しているが、常時ヒンジピン４０を軸受け部４７方向に付勢でき、ヒンジピン４０を下方に押下げることによりヒンジピン４０が離脱位置Ｓ２へと移動可能な部材であれば弾性部材は特に限定されるものではなく、他の弾性部材が本発明の範囲内で適宜選択可能である。
【００４３】
移動規制手段４５は、前記ヒンジピン４０の上下方向の移動可能範囲を規制する手段であって、ガラス扉３の取り外し作業においてヒンジピン４０を下方向へと移動させた際に、ヒンジピン４０が前記第一支持鍔部３３・第二支持鍔部３４から離脱しないように規制する構成が本発明の範囲内で採用される。
例えば本実施例では、前記補強板２９が取り付けられるベース板２６の一側辺（回動軸側の一側辺）２６ｄの上端を切欠いて設けた水平端面４６を、補強板２９の上端に穿設した切欠き孔３９の上下方向所定領域位置に合わせて前記切欠き孔３９領域を制限する（狭くする）ことにより、ヒンジピン４０の上下方向の移動可能範囲Ｒ１を規制する構成を採用した。
【００４４】
具体的には、移動規制手段４５は、前記水平端面４６によって制限された切欠き孔３９内のヒンジピン４０の上下方向の移動可能範囲Ｒ１を、遊技機本体の内枠２に設けた軸受け部４７に軸支されている状態の前記ヒンジピン４０先端から前記第一支持鍔部３３までの長さ（範囲）Ｒ２と比して短く規制する。
このようにＲ１＜Ｒ２の関係を具備することにより、例えばガラス扉３の取り外し時に、ヒンジピン４０を下方に引き下げて、ヒンジピン４０の軸受け部４７への軸支状態を解除した場合であっても、ヒンジピン４０の操作部４２が前記水平端面４６に当接するため、第一支持鍔部３３からヒンジピン４０（ヒンジピンの摺動部４１）が離脱することがない。
また、ヒンジピン４０の操作部４２における弾性部材４４の下端を係止した位置は、本実施例において、前記移動規制手段４５（水平端面４６）に当接する位置とした。このように構成することにより、弾性部材４４が移動規制手段４５によって、弾性部材４４の付勢力によるヒンジピン４０からの離脱が抑制される。
【００４５】
なお、移動規制手段４５は、本実施例構成に限定されるものではなく、本発明の範囲内で設計変更可能である。例えば補強板２９に設けた切欠き孔３９自体を、前記Ｒ１＜Ｒ２の式を満足するように予め狭く設定することによりヒンジピン４０の移動可能範囲を制限することも本発明の範囲内である。また、前記切欠き孔３９の所定領域を閉鎖する部材を、補強板２９若しくはベース板２６に別途備えることによりヒンジピン４０の移動可能範囲を制限することも本発明の範囲内である。
【００４６】
ここで、本実施例の遊技機のガラス扉３の着脱作動について説明する。
ガラス扉３を内枠２に取り付ける場合、まず、下側の支持鍔部３５に備えられているヒンジピン３８を内枠２の下側に突設されている軸受け部に軸受けさせた状態で、次に上側の支持鍔部３２に軸支されているヒンジピン４０を弾性部材４４の付勢に抗する方向（下方）へと押下げる。これにより、第一支持鍔部３３の上端面に近接した位置にまでヒンジピン４０の先端が押下げられる。
そしてこの状態で、ヒンジピン４０が内枠２から突設されている軸受け部４７の軸孔４７ａと合致する同軸位置までガラス扉３を移動させる。
そして、上記合致した位置でヒンジピン４０に掛かっていた付勢に抗する下方への押下げ力を解除すれば、弾性部材４４の付勢力によりヒンジピン４０が上昇して軸受け部４７に軸受けされる（図５及び図７にてヒンジピン４０を実線で示す位置）。
【００４７】
また、ガラス扉３を遊技機本体枠Ａから取り外す場合、まず、ガラス扉３を開放し、次に軸受け部４７に軸受けされて切欠き孔３９からガラス扉３裏面方向に突出しているヒンジピン４０の操作部４２を弾性部材４４の付勢力に抗して下方に押下げると、軸受け部４７に軸受けされているヒンジピン４０の先端が該軸受け部４７から離脱する（図５及び図７にてヒンジピン４０を仮想線で示す位置）。
そして、この離脱状態を維持しつつガラス扉３を斜め上方にスライド移動させれば、下側の支持鍔部３５に備えられているヒンジピン４０が遊技機本体枠Ａの下側に突設されている軸受け部４７から離脱されてガラス扉３を遊技機本体枠Ａから取り外すことが出来る。
【００４８】
前記ガラス扉３の取り付け時及び取り外し時において、ヒンジピン４０が弾性部材４４の付勢力に抗して下方に押し下げられてヒンジピン４０の軸受け部４７から離脱された際、ヒンジピン４０は、移動規制手段４５によって下方への移動可能範囲が規制されている。
すなわち、ヒンジピン４０の先端が軸受け部４７から離脱された軸受け解除状態となった時点で、ヒンジピン４０の操作部４２が移動規制手段４５となる水平端面４６に当接してそれより下方への移動が規制される（図５及び図７にてヒンジピン４０を仮想線で示す位置）。
したがって、ヒンジピン４０が軸受け部４７から離脱するに必要な長さだけ移動可能に規制されているため、上側の支持鍔部３２よりヒンジピン４０が離脱する虞がない。
「変形例１」
【００４９】
ここで、特に図示はしないが前記実施例１の変形例１を説明する。
前記実施例１では、回動軸側の補強板に支持鍔部を一体に設けるとともに、該支持鍔部にヒンジピンを移動可能に備え、そして該ヒンジピンの上下方向の移動に規制を掛ける移動規制手段をベース板に設けた実施の一形態を説明したが、特に限定されず本発明の範囲内で設計変更可能である。なお、下側の支持鍔部も同様に設計変更可能である。
例えば、支持鍔部は、補強板とは別体で成形し、補強板と装飾板との間に着脱可能に取り付けるものとしてもよい。
また、支持鍔部は、ベース板前面に一体に設けるものであっても良い。さらに支持鍔部とともに切欠き孔と移動規制手段の双方もベース板に一体に設けるものであっても良い。
さらに、支持鍔部は、装飾板２７の裏面側に一体に設けるものであっても、また装飾板とは別体に成形して装飾板の裏面に固着して設けるものであっても良い。
また、上側の支持鍔部と切欠き孔と移動規制手段を一体に備えた取付部材を別途成形し、該取付部材をベース板と装飾部材との間に着脱可能に備えることも可能で本発明の範囲内である。このように構成されることにより、遊技機の装飾部材交換等において、取付部材構成を残したまま成し得る。
「変形例２」
【００５０】
また、実施例１では、ガラス扉３側に支持鍔部３１（３２）を備え、遊技機本体枠Ａ側（内枠２側）に軸受け部４７を備えた実施の一形態を説明したが、本発明はこれに限定解釈されるものではなく、例えば、遊技機本体枠Ａ側（内枠２側）に支持鍔部３１（３２）を備え、ガラス扉３側に軸受け部４７を備える形態を採用することも可能で本発明の範囲内である。
また、実施例１では、ガラス扉３を内枠２の一側に取り付ける形態をもって説明したが、外枠１の一側に取り付けることも可能で本発明の範囲内である。なお、この場合、ガラス扉３と、遊技機本体枠Ａ側としての前記外枠１のいずれか一方に支持鍔部３１（３２）を、他方に軸受け部４７を備えるものとする。
「変形例３」
【００５１】
本実施例では、弾性部材４４は、他端４４ｂを補強板２９裏面の係止片２９ａに取り付けるとともに、一端４４ａをヒンジピン４０の操作部４２に取り付けた実施の一例を示したが、これに限定されず他の形態を採用することも可能である。
例えば、第一支持鍔部と第二支持鍔部との間にコイルバネを配設してヒンジピンは該コイルバネ内を通過して備えるとともに、該コイルバネの先端（第一支持鍔部寄りの端部）をヒンジピンの摺動部に固定して備える構成も採用可能である。このような構成によれば、ヒンジピンはコイルバネの付勢により常時軸支位置方向に押し上げられている。そしてヒンジピンを押下げて軸支状態を解除する場合には、コイルバネ先端が、第一支持鍔部と第二支持鍔部の間の領域で摺動部に固定されているため、ヒンジピンを押下げることでコイルバネは付勢に抗して圧せられる。
また、遊技機本体枠側にヒンジピンを備える場合、弾性部材は、一端をヒンジピンに他端を遊技機本体枠の任意箇所に取り付ける形態を採用することも可能である。
なお、本実施例では、弾性部材を備える形態をもって説明したが、ヒンジピンが軸受け部の軸孔内に挿入された状態が維持可能、かつ軸孔内から離脱可能な構成を備えるものであれば、弾性部材を備えない形態であっても本発明の範囲内である。
【図面の簡単な説明】
【００５２】
【図１】本発明遊技機の概略を示す全体斜視図。
【図２】ガラス扉の正面図。
【図３】ガラス扉の背面図。
【図４】ガラス扉を裏側から見た状態の斜視図。
【図５】上側のヒンジ部を拡大して示す概略正面図。
【図６】ヒンジ部の概略拡大図で、（ａ）は上側のヒンジ部の拡大斜視図、（ｂ）は下側のヒンジ部の拡大斜視図を示す。
【図７】ヒンジピンの移動を示す概略断面図。
【図８】前面側から見たガラス扉の分解斜視図。
【図９】前面側から見たガラス扉の分解斜視図で、ベース板から装飾部材を分解した状態を示す。
【図１０】裏面側から見たガラス扉の分解斜視図。
【符号の説明】
【００５３】
３  ガラス扉
４  ガラス板
１０  回動軸
１１  ガラス板取付枠
１３  開放側取付枠
２６  ベース板
２７  装飾部材
２８  補強板
３２  上側支持鍔部
４０  ヒンジピン
４４  弾性部材
４５  移動規制手段
４７  軸受け部
Ｓ１  軸支位置
Ｓ２  離脱位置
Ｒ１  ヒンジピンの移動可能範囲
Ｒ２  ヒンジピン先端から第一支持鍔部までの長さ
【図１】
2006263243.tif 000003
【図２】
2006263243.tif 000004
【図３】
2006263243.tif 000005
【図４】
2006263243.tif 000006
【図５】
2006263243.tif 000007
【図６】
2006263243.tif 000008
【図７】
2006263243.tif 000009
【図８】
2006263243.tif 000010
【図９】
2006263243.tif 000011
【図１０】
2006263243.tif 000012